【手続補正書】
【提出日】平成18年4月13日(2006.4.13)
【手続補正１】
【補正対象書類名】特許請求の範囲
【補正対象項目名】全文
【補正方法】変更
【補正の内容】
【特許請求の範囲】
【請求項１】
多数の周囲エッジによって境界が設定された抵抗性表面を有する基板と、
前記抵抗性表面は、前記エッジの内側にタッチ領域を有し、
前記タッチ領域を横切る電界を生成するために、周囲エッジに接近した直列抵抗鎖と、
前記抵抗鎖は、導電性電極の相互間でオーバーラップ抵抗器を形成するために、前記表面の抵抗性領域と直列に配置された多数の導電性電極を備え、各電極は、前記タッチ領域に面する内側部分を有し、接近した電極の前記内側部分は接合によって隔てられ、
前記タッチ領域と前記抵抗鎖の間の前記抵抗性表面内の絶縁領域の線形アレイと、
前記絶縁領域はギャップにより隔てられ、前記ギャップの少なくとも一つは、前記タッチ領域と少なくとも一つの接合の間に形成され、そして、
前記少なくとも一つの接合ギャップ内に位置する電気的導電の島を有するタッチセンサー。
【請求項２】
二つのギャップが前記タッチ領域と二つの接近した内側部分との間に形成され、前記少なくとも一つの接合ギャップは前記二つのギャップ間にある請求項１記載のタッチセンサー。
【請求項３】
前記基板は実質的に透明である請求項１記載のタッチセンサー。
【請求項４】
非接合ギャップが前記タッチ領域と少なくとも前記内側部分の多数との間に形成される請求項１記載のタッチセンサー。
【請求項５】
接合ギャップが前記タッチ領域と少なくとも前記接合の多数との間に形成される請求項１記載のタッチセンサー。
【請求項６】
少なくとも前記接合ギャップの多数内に位置する電気的導電の島を更に備える請求項１記載のタッチセンサー。
【請求項７】
対向する１対の周囲エッジによって少なくとも部分的に境界が設定された抵抗性表面を有する基板と、
前記タッチ領域を横切る電界を生成するために、各周囲エッジに接近した直列抵抗鎖と、
前記抵抗鎖は、導電性電極の相互間でオーバーラップ抵抗器を形成するために、前記表面の抵抗性領域と直列に配置された多数の導電性電極を備え、各電極は、前記タッチ領域に面する内側部分を有し、接近した電極の前記内側部分は接合によって隔てられ、
前記タッチ領域と前記抵抗鎖の間の各定稿鎖に接近した前記抵抗性表面内の絶縁領域の線形アレイと、
前記絶縁領域はギャップにより隔てられ、前記ギャップは、前記タッチ領域と前記接合の間の接合ギャップを含み、そして、
前記少なくとも一つの接合ギャップ内に位置する電気的導電の島を有するタッチセンサー。
【請求項８】
前記タッチ領域と少なくとも２個の接近した内側部分との間に少なくとも２個のギャップが形成され、前記少なくとも１個の接合ギャップが前記少なくとも２個のギャップ間に存在する請求項７記載のタッチセンサー。
【請求項９】
少なくとも前記接合ギャップの多数内に位置する電気的導電の島を更に備える請求項７記載のタッチセンサー。
【請求項１０】
オーバーラップ抵抗器毎の多数の導電経路が、前記タッチ領域と前記個々の抵抗鎖の間に形成される請求項７記載のタッチセンサー。
【請求項１１】
少なくとも１個の非接合ギャップは電気的導電要素を持たず、少なくとも１個の非接合ギャップは電気的導電の島を持ち、そして、すくなくとも１個の非接合ギャップは接近した電極の内側部分から延在する電極を有する請求項７記載のタッチセンサー。
【請求項１２】
前記抵抗性表面は、対向する別の対の周囲エッジにより境界が設定され、前記タッチ領域は他の対の対向する周囲エッジの内側にあり、
前記タッチ領域を横切る電界を生成するために、前記他の対の周囲エッジの各々に接近した別の直列抵抗鎖を備え、
他の抵抗鎖の各々は、電極間でオーバーラップ抵抗器を形成するために、前記表面の抵抗性領域と直列に配された多数の導電性電極を備え、他の電極の各々は、前記タッチ領域に面する別の内側部分を持ち、接近する電極の他の内側エッジは接合によって隔てられ、
前記タッチ領域と個々の抵抗鎖との間の他の抵抗性鎖の各々に接近した前記抵抗性表面内の絶縁領域による他の線形アレイを備え、
他の電極の各々は、前記他のタッチ領域に面する別の直線部を持ち、電極に接近した前記他の内側部分は接合により隔てられる請求項７記載のタッチセンサー。
【請求項１３】
前記周囲エッジは４つのコーナーで終息する請求項１２記載のタッチセンサー。
【請求項１４】
絶縁領域の線形アレイは、オーバーラップ抵抗器毎にほぼ二つのギャップを有し、絶縁領域の他の線形アレイは、オーバーラップ抵抗器毎におよそ３個以上のギャップを有する請求項１２記載のタッチセンサー。
【請求項１５】
多数の周囲エッジによって境界が設定された抵抗性表面を有する基板と、
前記抵抗性表面は前記エッジ内側にタッチ領域を有し、
前記タッチ領域を横切る電界を生成するために、周囲エッジに接近した直列抵抗鎖と、
前記抵抗鎖は、導電性電極の相互間でオーバーラップ抵抗器を形成するために、前記表面の抵抗性領域と直列に配置された多数の導電性電極を備え、各電極は、前記タッチ領域に面する内側部分を有し、接近した電極の前記内側部分は接合によって隔てられ、
前記タッチ領域と前記抵抗鎖の間の前記抵抗性表面内の絶縁領域の線形アレイとを備え、
少なくとも２個の前記ギャップは、空のギャップの異なるみのから選択され、島のギャップは、電気的導電の島を有し、そして、電極ギャップは、前記内側部分の一つからの導電性伸張部を有するタッチセンサー。
【請求項１６】
前記少なくとも２個の前記ギャップはそれぞれに前記空のギャップと前記島のギャップ、であり、それぞれに前記空のギャップと前記電極のギャップであり、または、それぞれに前記島のギャップと前記電極のギャップである請求項１５記載のタッチセンサー。
【請求項１７】
前記少なくとも２個の前記ギャップは、３個のギャップを備え、第１のギャップは前記空のギャップで、第２のギャップは前記島のギャップで、第３のギャップは前記電極ギャップである請求項１５記載のタッチセンサー。
【請求項１８】
前記少なくとも２個の前記ギャップは互いに接近する請求項１５記載のタッチセンサー。
【請求項１９】
前記少なくとも２個の前記ギャップは、前記タッチ領域と個々の接合部との間で接合ギャップを形成する請求項１５記載のタッチセンサー。
【請求項２０】
前記少なくとも２個の前記ギャップは、前記タッチ領域と個々の内側部分との間で非接合ギャップを形成する請求項１５記載のタッチセンサー。
【請求項２１】
前記少なくとも２個の前記ギャップは、実質的に同じ幅および実質的に異なる抵抗を、または実質的に異なる幅および実質的に同じ抵抗を有する請求項１５記載のタッチセンサー。
【請求項２２】
前記ギャップは、放物線状に変化する抵抗を有する請求項１５記載のタッチセンサー。
【請求項２３】
前記抵抗性表面は、前記ギャップ内で完全に非接触である請求項１、７または１５記載のタッチセンサー。
【請求項２４】
前記絶縁領域は、前記抵抗鎖と平行に延在する請求項１、７または１５記載のタッチセンサー。
【請求項２５】
前記絶縁領域のアレイは、前記抵抗性表面が除去されたラインであり、前記ラインは前記抵抗鎖と平行である請求項１、７または１５記載のタッチセンサー。
【請求項２６】
前記各電極は、Ｚ形状の電極である請求項１５記載のタッチセンサー。
【請求項２７】
電界は、非線形である請求項１、７または１５記載のタッチセンサー。
【請求項２８】
前記タッチ領域への電気的な結合を与えるために、電気的導電コーティングを有するカバーシートを更に備える請求項１５記載のタッチセンサー。
【請求項２９】
前記タッチ領域上に配された誘電体コーティングを更に備える請求項１、７または１５記載のタッチセンサー。